【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
送信機と、
受信機と、
前記送信機および前記受信機の各々に結合され、前記送信機からの送信信号と、前記受信機からの誤差信号との少なくとも一部に基づいて推定送信漏曳信号を生成し、前記受信機の入力に接続された結合器に前記推定送信漏曳信号を搬送するように構成されたマルチタップアナログ適応フィルタと
を備えるトランシーバ。
【請求項２】
前記マルチタップアナログ適応フィルタが、
前記送信信号と前記誤差信号との前記少なくとも一部の受信に応答して複数の係数を生成するように構成された複数の最小２乗平均（ＬＭＳ）アルゴリズムユニットを備える請求項１に記載のトランシーバ。
【請求項３】
前記複数のＬＭＳアルゴリズムユニットが、
前記送信信号と前記誤差信号との前記少なくとも一部の受信に応答して前記複数の係数のうちの第１の係数を生成するように構成された第１のＬＭＳアルゴリズムユニットと、
前記送信信号と前記誤差信号との前記少なくとも一部の受信に応答して前記複数の係数のうちの第２の係数を生成するように構成された第２のＬＭＳアルゴリズムユニットとを備える請求項２に記載のトランシーバ。
【請求項４】
前記推定送信漏曳信号と、送信信号漏曳を含むコンポジット信号とを合計するための結合器をさらに備える請求項１に記載のトランシーバ。
【請求項５】
前記マルチタップアナログ適応フィルタが、前記受信機の低ノイズ増幅器の出力と、前記送信機の電力増幅器の出力とに結合される請求項１に記載のトランシーバ。
【請求項６】
前記送信信号の前記少なくとも一部が、前記送信信号の３次高調波を備える請求項１に記載のトランシーバ。
【請求項７】
前記送信機の電力増幅器の出力と、前記マルチタップアナログ適応フィルタの入力との間に結合され、広帯域結合器および周波数選択性フィルタのうちの１つとして構成された結合器をさらに備える請求項１に記載のトランシーバ。
【請求項８】
前記結合器が、前記送信信号の高調波を前記マルチタップアナログ適応フィルタに搬送するための前記周波数選択性フィルタとして構成される請求項７に記載のトランシーバ。
【請求項９】
前記マルチタップアナログ適応フィルタが、
前記誤差信号と、前記送信信号の前記少なくとも一部とを乗算するための第１の乗算器と、
前記誤差信号と、前記送信信号の前記少なくとも一部の時間遅延バージョンとを乗算するための第２の乗算器と、
前記第１の乗算器の出力を受信し、第１の係数を生成するための第１の積分器と、
前記第２の乗算器の出力を受信し、第２の係数を生成するための第２の積分器と
を備える請求項１に記載のトランシーバ。
【請求項１０】
前記第１の係数と、前記送信信号の前記少なくとも一部とを乗算する第３の乗算器と、
前記第２の係数と、前記送信信号の前記少なくとも一部の前記時間遅延バージョンとを乗算するための第４の乗算器と、
前記第３の乗算器の出力と、前記第４の乗算器の出力とを合計するための加算器とをさらに備える請求項９に記載のトランシーバ。
【請求項１１】
受信機から誤差信号を受信し、前記受信機からの前記誤差信号に基づいて第１の重みを生成するための第１のユニットと、
前記受信機から前記誤差信号を受信し、前記受信機からの前記誤差信号に基づいて第２の重みを生成するための第２のユニットと、
送信信号の高調波と、前記高調波の時間遅延バージョンと、前記第１の重みと、前記第２の重みとに基づいて、送信信号漏曳推定を生成するように構成されたフィルタと、
前記送信信号漏曳推定と、送信信号漏曳を含むコンポジット信号とを合計するための結合器と
を備えるマルチタップアナログ適応フィルタ。
【請求項１２】
前記第１のユニットが、
前記高調波を受信するための直交スプリッタと、
前記誤差信号と、前記直交スプリッタの出力とを受信するための乗算器と、
前記乗算器の出力を受信し、前記第１の重みを搬送するための低域フィルタと
を備える請求項１１に記載のマルチタップアナログ適応フィルタ。
【請求項１３】
前記第２のユニットが、
前記高調波の前記時間遅延バージョンを受信するための直交スプリッタと、
前記誤差信号と、前記直交スプリッタの出力とを受信するための乗算器と、
前記乗算器の出力を受信し、前記第２の重みを搬送するための低域フィルタと
を備える請求項１１に記載のマルチタップアナログ適応フィルタ。
【請求項１４】
前記フィルタが、
前記高調波を受信するための第１の直交スプリッタと、前記第１の直交スプリッタの出力と前記第２の重みとを乗算するための第１の乗算器と、前記第１の乗算器の同相信号と直交信号とを組み合わせるための第１の加算器とを含む第１の経路と、
前記高調波の前記時間遅延バージョンを受信するための第２の直交スプリッタと、前記第２の直交スプリッタの出力と前記第２の重みとを受信するための第２の乗算器と、前記第２の乗算器の同相信号と直交信号とを組み合わせるための第２の加算器とを含む第２の経路と、
前記第１の加算器の出力を前記第２の加算器の出力と組み合わせるための加算器と
を備える請求項１１に記載のマルチタップアナログ適応フィルタ。
【請求項１５】
複数の送信機と、
少なくとも１つの受信機と、
前記少なくとも１つの受信機に結合され、前記複数の送信機のうちの送信機に選択的に結合するように構成されたマルチタップアナログ適応フィルタと、前記マルチタップアナログ適応フィルタが、それに選択的に結合された前記送信機からの送信信号の少なくとも一部と、受信機からの誤差信号とに基づいて、推定送信漏曳信号を生成し、前記受信機の入力に接続された結合器に前記推定送信漏曳信号を搬送するように構成される、
を備えるトランシーバ。
【請求項１６】
第１のアンテナを介して信号を受信するための前記受信機と、前記マルチタップアナログ適応フィルタに選択的に結合された前記送信機とが、前記第１のアンテナを介して信号を送信し、または第２の異なるアンテナを介して信号を送信するかのいずれかであるように構成される請求項１５に記載のトランシーバ。
【請求項１７】
前記少なくとも１つの受信機の別の受信機に結合され、前記複数の送信機のうちの別の送信機に選択的に結合するように構成された別のマルチタップアナログ適応フィルタをさらに備え、前記別のマルチタップアナログ適応フィルタが、それに選択的に結合された前記別の送信機からの別の送信信号の少なくとも一部と、前記別の受信機からの別の受信信号とに基づいて、別の推定送信漏曳信号を生成するように構成される請求項１５に記載のトランシーバ。
【請求項１８】
送信信号と、受信信号を含む誤差信号との少なくとも一部に基づいて、複数の重みを使用して推定送信漏曳信号を生成することと、前記誤差信号は受信機からのものである、
得られる信号を生成するために前記受信信号を含むコンポジット信号から前記推定送信漏曳を減じることと、
前記受信機の入力に前記得られる信号を搬送することと
を備える方法。
【請求項１９】
複数の重みを使用して推定送信漏曳信号を前記生成することが、マルチタップ最小２乗平均（ＬＭＳ）アナログ適応フィルタで前記推定送信漏曳信号を生成することを備える請求項１８に記載の方法。
【請求項２０】
複数の重みを使用して推定送信漏曳信号を前記生成することが、
前記送信信号および前記誤差信号の前記少なくとも一部に基づいて、前記複数の重みのうちの第１の重みを生成することと、
前記送信信号および前記誤差信号の前記少なくとも一部の時間遅延バージョンに基づいて、前記複数の重みのうちの第２の重みを生成することと
を備える請求項１８に記載の方法。
【請求項２１】
前記コンポジット信号から前記推定送信漏曳を減じることが、前記コンポジット信号を受信機の低ノイズ増幅器で増幅する前に、前記コンポジット信号から前記推定送信漏曳を減じることを備える請求項１８に記載の方法。
【請求項２２】
受信機からの誤差信号に基づいてマルチタップアナログ適応フィルタを介して推定送信漏曳信号を生成することと、
得られる信号を生成するために受信信号と送信漏曳信号とを含むコンポジット信号から、前記推定送信漏曳信号を減じることと、
前記受信機の入力に前記得られる信号を搬送することと
を備える方法。
【請求項２３】
前記生成することが、
第１の信号を生成するために、前記受信信号を含む前記誤差信号を送信信号の高調波と乗算することと、
第１の係数を生成するために、前記第１の信号を積分することと、
第２の信号を生成するために、前記誤差信号を前記高調波の時間遅延バージョンと乗算することと、
第２の係数を生成するために、前記第２の信号を積分することと、
第３の信号を生成するために、前記第１の係数を前記高調波と乗算することと、
第４の信号を生成するために、前記第２の係数を前記高調波の前記時間遅延バージョンと乗算することと、
前記第３の信号と前記第４の信号とを合計することと
を備える請求項２２に記載の方法。
【請求項２４】
前記生成することが、
第１の信号を生成するために、前記受信信号を含む前記誤差信号を送信信号の高調波と乗算することと、
第１の係数を生成するために、前記第１の信号を濾波することと、
第２の信号を生成するために、前記誤差信号を前記高調波の前記時間遅延バージョンと乗算することと、
第２の係数を生成するために、前記第２の信号を濾波することと、
第３の信号を生成するために、前記第１の係数を前記高調波と乗算することと、
第４の信号を生成するために、前記第２の係数を前記高調波の前記時間遅延バージョンと乗算することと、
前記第３の信号と前記第４の信号とを合計することと
を備える請求項２２に記載の方法。
【請求項２５】
マルチタップ適応フィルタを介して推定送信漏曳信号を前記生成することが、無線周波数およびベースバンドのうちの１つで前記マルチタップ適応フィルタを介して前記推定送信漏曳信号を生成することを備える請求項２２に記載の方法。
【請求項２６】
受信機からの誤差信号に基づいてマルチタップアナログ適応フィルタを介して推定送信漏曳信号を生成するための手段と、
得られる信号を生成するために受信信号と送信信号漏曳とを含むコンポジット信号から前記推定送信漏曳を減じるための手段と、減じるための前記手段が、前記受信機の入力に前記得られる信号を搬送するように構成される、
を備えるデバイス。
【手続補正２】
【補正対象書類名】明細書
【補正対象項目名】００６２
【補正方法】変更
【補正の内容】
【００６２】
[0078]開示する例示的な実施形態の前述の説明は、当業者が本発明を実施または使用できるようにするために提供したものである。これらの例示的な実施形態への様々な修正は当業者には容易に明らかであり、本明細書で定義した一般原理は、本発明の趣旨または範囲から逸脱することなく他の実施形態に適用され得る。したがって、本発明は、本明細書に示す例示的な実施形態に限定されるものではなく、本明細書で開示する原理および新規の特徴と一致する最も広い範囲を与えられるべきある。
以下に、本願出願の当初の特許請求の範囲に記載された発明を付記する。
［Ｃ１］
送信機と、
受信機と、
前記送信機および前記受信機の各々に結合され、前記送信機からの送信信号と、前記受信機からの誤差信号との少なくとも一部に基づいて推定送信漏曳信号を生成するように構成されたマルチタップアナログ適応フィルタと
を備えるトランシーバ。
［Ｃ２］
前記マルチタップアナログ適応フィルタが、
前記送信信号と前記誤差信号との前記少なくとも一部の受信に応答して複数の係数を生成するように構成された複数の最小２乗平均（ＬＭＳ）アルゴリズムユニットを備えるＣ１に記載のトランシーバ。
［Ｃ３］
前記複数のＬＭＳアルゴリズムユニットが、
前記送信信号と前記誤差信号との前記少なくとも一部の受信に応答して前記複数の係数のうちの第１の係数を生成するように構成された第１のＬＭＳアルゴリズムユニットと、
前記送信信号と前記誤差信号との前記少なくとも一部の受信に応答して前記複数の係数のうちの第２の係数を生成するように構成された第２のＬＭＳアルゴリズムユニットとを備えるＣ２に記載のトランシーバ。
［Ｃ４］
前記推定送信漏曳信号と、送信信号漏曳を含むコンポジット信号とを合計するための結合器をさらに備えるＣ１に記載のトランシーバ。
［Ｃ５］
前記マルチタップアナログ適応フィルタが、前記受信機の低ノイズ増幅器の出力と、前記送信機の電力増幅器の出力とに結合されるＣ１に記載のトランシーバ。
［Ｃ６］
前記送信信号の前記少なくとも一部が、前記送信信号の３次高調波を備えるＣ１に記載のトランシーバ。
［Ｃ７］
前記送信機の電力増幅器の出力と、前記マルチタップアナログ適応フィルタの入力との間に結合され、広帯域結合器および周波数選択性フィルタのうちの１つとして構成された結合器をさらに備えるＣ１に記載のトランシーバ。
［Ｃ８］
前記結合器が、前記送信信号の高調波を前記マルチタップアナログ適応フィルタに搬送するための前記周波数選択性フィルタとして構成されるＣ７に記載のトランシーバ。
［Ｃ９］
前記マルチタップアナログ適応フィルタが、
前記誤差信号と、前記送信信号の少なくとも一部とを乗算するための第１の乗算器と、
前記誤差信号と、前記送信信号の前記少なくとも一部の時間遅延バージョンとを乗算するための第２の乗算器と、
前記第１の乗算器の出力を受信し、第１の係数を生成するための第１の積分器と、
前記第２の乗算器の出力を受信し、第２の係数を生成するための第２の積分器と
を備えるＣ１に記載のトランシーバ。
［Ｃ１０］
前記第１の係数と、前記送信信号の前記少なくとも一部とを乗算する第３の乗算器と、
前記第２の係数と、前記送信信号の前記少なくとも一部の前記時間遅延バージョンとを乗算するための第４の乗算器と、
前記第３の乗算器の出力と、前記第４の乗算器の出力とを合計するための加算器とをさらに備えるＣ９に記載のトランシーバ。
［Ｃ１１］
誤差信号を受信し、第１の重みを生成するための第１のユニットと、
前記誤差信号を受信し、第２の重みを生成するための第２のユニットと、
送信信号の高調波と、前記高調波の時間遅延バージョンと、前記第１の重みと、前記第２の重みとに基づいて、送信信号漏曳推定を生成するように構成されたフィルタと、
前記送信信号漏曳推定と、送信信号漏曳を含むコンポジット信号とを合計するための結合器と
を備えるマルチタップアナログ適応フィルタ。
［Ｃ１２］
前記第１のユニットが、
前記高調波を受信するための直交スプリッタと、
前記誤差信号と、前記直交スプリッタの出力とを受信するための乗算器と、
前記乗算器の出力を受信し、前記第１の重みを搬送するための低域フィルタと
を備えるＣ１１に記載のマルチタップアナログ適応フィルタ。
［Ｃ１３］
前記第２のユニットが、
前記高調波の前記時間遅延バージョンを受信するための直交スプリッタと、
前記誤差信号と、前記直交スプリッタの出力とを受信するための乗算器と、
前記乗算器の出力を受信し、前記第２の重みを搬送するための低域フィルタと
を備えるＣ１１に記載のマルチタップアナログ適応フィルタ。
［Ｃ１４］
前記フィルタが、
前記高調波を受信するための第１の直交スプリッタと、前記第１の直交スプリッタの出力と前記第２の重みとを乗算するための第１の乗算器と、前記第１の乗算器の同相信号と直交信号とを組み合わせるための第１の加算器とを含む第１の経路と、
前記高調波の前記時間遅延バージョンを受信するための第２の直交スプリッタと、前記第２の直交スプリッタの出力と前記第２の重みとを受信するための第２の乗算器と、前記第２の乗算器の同相信号と直交信号とを組み合わせるための第２の加算器とを含む第２の経路と、
前記第１の加算器の出力を前記第２の加算器の出力と組み合わせるための加算器とを備えるＣ１１に記載のマルチタップアナログ適応フィルタ。
［Ｃ１５］
複数の送信機と、
少なくとも１つの受信機と、
前記少なくとも１つの受信機に結合され、前記複数の送信機のうちの送信機に選択的に結合するように構成されたマルチタップアナログ適応フィルタと、前記マルチタップアナログ適応フィルタが、それに選択的に結合された前記送信機からの送信信号の少なくとも一部と、受信機からの誤差信号とに基づいて、推定送信漏曳信号を生成するように構成される、
を備えるトランシーバ。
［Ｃ１６］
第１のアンテナを介して信号を受信するための前記受信機と、前記マルチタップアナログ適応フィルタに選択的に結合された前記送信機とが、前記第１のアンテナを介して信号を送信し、または第２の異なるアンテナを介して信号を送信するかのいずれかであるように構成されるＣ１５に記載のトランシーバ。
［Ｃ１７］
前記少なくとも１つの受信機の別の受信機に結合され、前記複数の送信機のうちの別の送信機に選択的に結合するように構成された別のマルチタップアナログ適応フィルタをさらに備え、前記別のマルチタップアナログ適応フィルタが、それに選択的に結合された前記別の送信機からの別の送信信号の少なくとも一部と、前記別の受信機からの別の受信信号とに基づいて、別の推定送信漏曳信号を生成するように構成されるＣ１５に記載のトランシーバ。
［Ｃ１８］
送信信号と、受信信号を含む誤差信号との少なくとも一部に基づいて、複数の重みを使用して推定送信漏曳信号を生成することと、
前記受信信号を含むコンポジット信号から推定送信漏曳を減じることと
を備える方法。
［Ｃ１９］
複数の重みを使用して推定送信漏曳信号を生成することが、マルチタップ最小２乗平均（ＬＭＳ）アナログ適応フィルタで前記推定送信漏曳信号を生成することを備えるＣ１８に記載の方法。
［Ｃ２０］
複数の重みを使用して推定送信漏曳信号を生成することが、
前記送信信号および前記誤差信号の前記少なくとも一部に基づいて、前記複数の重みのうちの第１の重みを生成することと、
前記送信信号および前記誤差信号の前記少なくとも一部の時間遅延バージョンに基づいて、前記複数の重みのうちの第２の重みを生成することと
を備えるＣ１８に記載の方法。
［Ｃ２１］
前記コンポジット信号から前記推定送信漏曳を減じることが、前記コンポジット信号を受信機の低ノイズ増幅器で増幅する前に、前記コンポジット信号から前記推定送信漏曳を減じることを備えるＣ１８に記載の方法。
［Ｃ２２］
マルチタップアナログ適応フィルタを介して推定送信漏曳信号を生成することと、
受信信号と送信漏曳信号とを含むコンポジット信号から、前記推定送信漏曳信号を減じることと
を備える方法。
［Ｃ２３］
前記生成することが、
第１の信号を生成するために、前記受信信号を含む誤差信号を送信信号の高調波と乗算することと、
第１の係数を生成するために、前記第１の信号を積分することと、
第２の信号を生成するために、前記誤差信号を前記高調波の時間遅延バージョンと乗算することと、
第２の係数を生成するために、前記第２の信号を積分することと、
第３の信号を生成するために、前記第１の係数を前記高調波と乗算することと、
第４の信号を生成するために、前記第２の係数を前記高調波の前記時間遅延バージョンと乗算することと、
前記第３の信号と前記第４の信号とを合計することと
を備えるＣ２２に記載の方法。
［Ｃ２４］
前記生成することが、
第１の信号を生成するために、前記受信信号を含む誤差信号を送信信号の高調波と乗算することと、
第１の係数を生成するために、前記第１の信号を濾波することと、
第２の信号を生成するために、前記誤差信号を前記高調波の前記時間遅延バージョンと乗算することと、
第２の係数を生成するために、前記第２の信号を濾波することと、
第３の信号を生成するために、前記第１の係数を前記高調波と乗算することと、
第４の信号を生成するために、前記第２の係数を前記高調波の前記時間遅延バージョンと乗算することと、
前記第３の信号と前記第４の信号とを合計することと
を備えるＣ２２に記載の方法。
［Ｃ２５］
マルチタップ適応フィルタを介して推定送信漏曳信号を生成することが、無線周波数およびベースバンドのうちの１つで前記マルチタップ適応フィルタを介して前記推定送信漏曳信号を生成することを備えるＣ２２に記載の方法。
［Ｃ２６］
マルチタップアナログ適応フィルタを介して推定送信漏曳信号を生成するための手段と、
受信信号と送信信号漏曳とを含むコンポジット信号から推定送信漏曳を減じるための手段と
を備えるデバイス。